(57)【要約】      （修正有）【課題】眼内レンズの埋め込みに使用するための装置を提供する。【解決手段】装置は、第１の端部および第２の端部を有し、かつ、長手方向軸に沿って延びる眼内レンズ注入通路を定める、軸方向の細長い中空導管を含んでおり、軸方向の細長い中空導管は、第１の端部に取り外し可能なシリンジ取付位置を定めるシリンジコネクターを有して形成され、かつ、装置は、シリンジコネクターと第２の端部との間の軸方向の細長い中空導管内に配置されたプッシャー要素１７６を含んでおり、軸方向の細長い中空導管およびプッシャー要素のうちの少なくとも一方が、粘弾性材料がシリンジコネクターおよびプッシャー要素を通ってプッシャー要素と軸方向の細長い中空導管の第２の端部との間の位置へと進むことを可能にする相互連通導管を有して形成される。【選択図】図９Ｃ
2019213846.tif 000002
【特許請求の範囲】
【請求項１】
眼内レンズの埋め込みに使用するための装置であって、当該装置は：
軸方向の細長い中空導管を有し、該軸方向の細長い中空導管は、第１の端部および第２の端部を有し、かつ、長手方向軸に沿って延びる眼内レンズ注入通路を定め、前記の軸方向の細長い中空導管は、前記の第１の端部に取り外し可能なシリンジ取付位置を定めるシリンジコネクターを有して形成され；かつ、
プッシャー要素を有し、該プッシャー要素は、前記シリンジコネクターと前記の第２の端部との間の前記の軸方向の中空導管内に配置され、
前記の軸方向の細長い中空導管および前記プッシャー要素のうちの少なくとも一方が、粘弾性材料が前記シリンジコネクターおよび前記プッシャー要素を通って前記プッシャー要素と前記の軸方向の細長い中空導管の前記の第２の端部との間の位置へと進むことを可能にする相互連通導管を有して形成される、
前記装置。
【請求項２】
前記プッシャー要素に固定された二重目的の細長い中空チューブもまた有し、前記の二重目的の細長い中空チューブは、前記シリンジコネクターに隣接した流体入口端部と、流体出口端部とを有し、前記の二重目的の細長い中空チューブは、中空プッシャーロッドを定め、かつ、前記の第２の端部に向けて前記の軸方向の細長い中空導管内を、かつ、前記の軸方向の細長い中空導管に対して前記長手方向軸に沿って変位可能であり、そのことによって、前記の第２の端部に向けて前記軸に沿って前記プッシャー要素を変位させる、請求項１に記載の眼内レンズの埋め込みに使用するための装置。
【請求項３】
前記の軸方向の細長い中空導管が、前記シリンジコネクターを定める第１の相対的に剛性であるハウジング部と、前記の相対的に剛性であるハウジング部の上に取り付けられた相対的に可撓性であるスリーブ部とを含んでいる、請求項２に記載の眼内レンズの埋め込みに使用するための装置。
【請求項４】
前記可撓性スリーブ部が、前記の軸方向の細長い中空導管の前記の第２の端部を定める角度のついた縁部を有して形成される、請求項３に記載の眼内レンズの埋め込みに使用するための装置。
【請求項５】
前記中空プッシャーロッドが、前記の軸方向の細長い中空導管内にスライド可能かつ密封可能に配置される、請求項２に記載の眼内レンズの埋め込みに使用するための装置。
【請求項６】
前記中空プッシャーロッドが、Ｏリングとの係合によって前記の軸方向の細長い中空導管内にスライド可能かつ密封可能に配置される、請求項５に記載の眼内レンズの埋め込みに使用するための装置。
【請求項７】
前記中空プッシャーロッドが、先細りの開口部を有して形成され、該先細りの開口部は、それを通って軸方向に延びる貫通円筒内腔と連通する、請求項６に記載の眼内レンズの埋め込みに使用するための装置。 
【請求項８】
前記貫通円筒内腔が、前記プッシャー要素を通って延びる導管と連通し、そのことによって、粘弾性材料が前記シリンジコネクターおよび前記プッシャー要素を通って前記プッシャー要素と前記の軸方向の細長い中空導管の前記の第２の端部との間の位置へと進むことを可能にする前記相互連通導管の一部を定める、請求項７に記載の眼内レンズの埋め込みに使用するための装置。
【請求項９】
前記の軸方向の細長い中空導管が、前記シリンジコネクターを定める第１の相対的に剛性であるハウジング部と、前記の相対的に剛性であるハウジング部の上に取り付けられた相対的に可撓性であるスリーブ部とを含んでいる、請求項１に記載の眼内レンズの埋め込みに使用するための装置。
【請求項１０】
前記可撓性スリーブ部が、前記の軸方向の細長い中空導管の前記の第２の端部を定める角度のついた縁部を有して形成される、請求項９に記載の眼内レンズの埋め込みに使用するための装置。
【請求項１１】
注入のために眼内レンズを準備する方法であって、当該方法は：
眼内レンズの埋め込みに使用するための装置を提供することを有し、該装置は：
軸方向の細長い中空導管を有し、該軸方向の細長い中空導管は、第１の端部および第２の端部を有し、かつ、長手方向軸に沿って延びる眼内レンズ注入通路を定め；
取り外し可能なシリンジ取付位置を定めるシリンジコネクターを有し、前記シリンジコネクターは、前記の軸方向の細長い中空導管の第１の端部に配置され；かつ、
プッシャー要素を有し、該プッシャー要素は、前記シリンジコネクターと前記の第２の端部との間の前記の軸方向の中空導管内に配置され、
前記の軸方向の細長い中空導管および前記プッシャー要素のうちの少なくとも一方が、粘弾性材料が前記シリンジコネクターおよび前記プッシャー要素を通って前記プッシャー要素と前記の軸方向の細長い中空導管の前記の第２の端部との間の位置へと進むことを可能にする相互連通導管を有して形成され、
前記相互連通導管を通して前記プッシャー要素と前記の軸方向の中空導管の前記の第２の端部と間の前記位置へと粘弾性材料を注入することを有し；かつ、その後で、
前記の軸方向の中空導管の前記の第２の端部を通して、前記プッシャー要素と前記の軸方向の中空導管の前記の第２の端部と間の前記位置において前記粘弾性材料の中へと眼内レンズを挿入することを有する、
前記方法。
【請求項１２】
前記注入が前記の第１の端部における前記シリンジコネクターを通して起こる、請求項１１に記載の注入のために眼内レンズを準備する方法。
【請求項１３】
前記の軸方向の中空導管が、前記粘弾性材料の前記注入前および前記粘弾性材料の前記注入の最中に埋め込みアセンブリーの上に取り付けられる、請求項１１に記載の注入のために眼内レンズを準備する方法。
【請求項１４】
前記の軸方向の中空導管が、前記粘弾性材料の中への前記眼内レンズの前記挿入前および前記粘弾性材料の中への前記眼内レンズの前記挿入の最中に埋め込みアセンブリーの上に取り付けられる、請求項１３に記載の注入のために眼内レンズを準備する方法。
【請求項１５】
第１の作動ステージにおいて、注入されるべき眼内レンズのハプティクスが、前記埋め込みアセンブリーの一部を形成する方位角的に正確な取付要素に形成された凹部に配置され、かつ、前記眼内レンズの後方部が、前記の方位角的に正確な取付要素に形成された内腔に据え付けられる、請求項１３に記載の注入のために眼内レンズを準備する方法。
【請求項１６】
前記の軸方向の細長い中空導管が、前記シリンジコネクターを定める第１の相対的に剛性であるハウジング部と、前記の相対的に剛性であるハウジング部の上に取り付けられ、かつ、前記の軸方向の細長い中空導管の前記の第２の端部を定める角度のついた縁部を有して形成された相対的に可撓性であるスリーブ部とを含んでおり；かつ、
前記の第１の作動ステージにおいて、前記の角度のついた縁部が前記眼内レンズに隣接して位置する、
請求項１５に記載の注入のために眼内レンズを準備する方法。
【請求項１７】
第２の作動ステージにおいて、粘弾性材料が、前記可撓性スリーブ部の内側へと移される、請求項１６に記載の注入のために眼内レンズを準備する方法。
【請求項１８】
第３の作動ステージにおいて、前記眼内レンズが、前記可撓性スリーブの中へと軸方向に変位し、かつ、前記ハプティクスが、前記長手方向軸に対するその正確な所定の方位角的位置を維持しながら、後方に折り返された配向で位置決めされる、請求項１６に記載の注入のために眼内レンズを準備する方法。
【請求項１９】
さらなる作動ステージにおいて、前記の軸方向の細長い中空導管が、前記埋め込みアセンブリーから脱係合し、かつ、埋め込みシリンジに接続される、請求項１６に記載の注入のために眼内レンズを準備する方法。
【発明の詳細な説明】
【技術分野】
【０００１】
関連出願への相互参照
ここで、本願の譲受人の以下の特許および特許出願を参照し、それらの開示は引用することによって本明細書に組み込まれる：
【０００２】
米国特許第５，３５４，３３５号明細書；米国特許第５，３９１，２０２号明細書；米国特許第５，８１４，１０３号明細書；米国特許第５，８７６，４４２号明細書；米国特許第５，９２８，２８３号明細書；米国特許第６，００７，５７９号明細書；米国特許第６，０６６，１７１号明細書；米国特許第６，５６９，１９９号明細書；米国特許第６，５９６，０２６号明細書；米国特許第６，９７２，０３２号明細書；米国特許第７，００１，４２７号明細書；米国特許第７，１０１，３９７号明細書；米国特許第７，７３６，３９０号明細書；米国特許第７，７２７，２７７号明細書；米国特許第７，７７６，０８７号明細書；米国特許第７，８４２，０８６号明細書；米国特許第７，９１８，８８６号明細書；米国特許第８，０８８，１６１号明細書；米国特許第８，１３３，２７３号明細書および米国特許第９，３５８，１０２号明細書；ならびに、
【０００３】
米国特許出願公開第２００５／００６５６０２号明細書；米国特許出願公開第２００５／０１５４４５７号明細書；米国特許出願公開第２００６／０００４４４６号明細書；米国特許出願公開第２００７／００２７５４１号明細書；米国特許出願公開第２０１０／０１４５４４５号明細書；米国特許出願公開第２０１１／００５４５９９号明細書；米国特許出願公開第２０１２／００９５５５４号明細書；米国特許出願公開第２０１４／０３７１８５１号明細書；米国特許出願公開第２０１４／０３７１８５２号明細書；米国特許出願公開第２０１６／０２６２８７７号明細書および米国特許出願公開第２０１６／０２７８９１３号明細書。
【０００４】
発明の分野
本発明は、概して医療デバイスに関し、より具体的には眼内（ｉｎｔｒａｏｃｕｌａｒ）レンズの埋め込み（ｉｍｐｌａｎｔｉｎｇ；インプラント・移植）に使用するためのデバイスに関する。
【背景技術】
【０００５】
発明の背景
種々のタイプの眼内レンズが知られており、それらの例は上記特許および特許出願に記載されている。眼内レンズの埋め込みに使用するための種々のツールもまた、知られている。
【発明の概要】
【発明が解決しようとする課題】
【０００６】
本発明は、眼内レンズの埋め込みに使用するための改善された装置を提供することを求める。
【課題を解決するための手段】
【０００７】
したがって、本発明の好ましい実施形態によれば、眼内レンズの埋め込みに使用するための装置が提供され、当該装置は、第１の端部および第２の端部を有し、かつ、長手方向軸に沿って延びる眼内レンズ注入通路を定める、軸方向の細長い中空導管（ａｘｉａｌ  ｅｌｏｎｇａｔｅ  ｈｏｌｌｏｗ  ｃｏｎｄｕｉｔ）を含んでおり、該軸方向の細長い中空導管は、第１の端部に取り外し可能なシリンジ取付位置を定めるシリンジコネクターを有して形成され、かつ、当該装置は、シリンジコネクターと第２の端部との間の軸方向の細長い中空導管内に配置されたプッシャー要素を含んでおり、軸方向の細長い中空導管およびプッシャー要素のうちの少なくとも一方が、粘弾性材料がシリンジコネクターおよびプッシャー要素を通ってプッシャー要素と軸方向の細長い中空導管の第２の端部との間の位置へと進むことを可能にする相互連通導管（ｍｕｔｕａｌｌｙ  ｃｏｍｍｕｎｉｃａｔｉｎｇ  ｃｏｎｄｕｉｔｓ）を有して形成される。
【０００８】
本発明の好ましい実施形態によれば、眼内レンズの埋め込みに使用するための装置はまた、プッシャー要素に固定された二重目的の細長い中空チューブを含んでおり、該二重目的の細長い中空チューブは、シリンジコネクターに隣接する流体入口端部と、流体出口端部とを有し、該二重目的の細長い中空チューブは、中空プッシャーロッドを定め、かつ、第２の端部に向けて軸方向の細長い中空導管内を、かつ、軸方向の細長い中空導管に対して長手方向軸に沿って変位可能であり、そのことによって、第２の端部に向けて軸に沿ってプッシャー要素を変位させる。追加的または代替的には、軸方向の細長い中空導管は、シリンジコネクターを定める第１の相対的に剛性であるハウジング部と、該相対的に剛性であるハウジング部の上に取り付けられた相対的に可撓性であるスリーブ部とを含んでいる。追加的には、可撓性スリーブ部は、軸方向の細長い中空導管の第２の端部を定める角度のついた縁部（ａｎｇｌｅｄ  ｅｄｇｅ）を有して形成される。
【０００９】
本発明の好ましい実施形態によれば、中空プッシャーロッドは、軸方向の細長い中空導管内にスライド可能かつ密封可能に配置される。追加的には、中空プッシャーロッドは、Ｏリングとの係合によって軸方向の細長い中空導管内にスライド可能かつ密封可能に配置される。
【００１０】
好ましくは、中空プッシャーロッドは先細りの開口部を有して形成され、該先細りの開口部は、それを通って軸方向に延びる貫通円筒内腔（ｔｈｒｏｕｇｈｇｏｉｎｇ  ｃｙｌｉｎｄｒｉｃａｌ  ｂｏｒｅ）と連通する。追加的には、貫通円筒内腔は、プッシャー要素を通って伸びる導管と連通し、そのことによって、粘弾性材料がシリンジコネクターおよびプッシャー要素を通ってプッシャー要素と軸方向の細長い中空導管の第２の端部との間の位置へと進むことを可能にする相互連通導管の一部を定める。
【００１１】
また、本発明の別の好ましい実施形態によれば、注入のために眼内レンズを準備する方法が提供され、当該方法は、眼内レンズの埋め込みに使用するための装置を提供することを含んでおり、該装置は、第１の端部および第２の端部を有し、かつ、長手方向軸に沿って延びる眼内レンズ注入通路を定める、軸方向の細長い中空導管を含んでおり、該装置は、取り外し可能なシリンジ取付位置を定めるシリンジコネクターを含んでおり、該シリンジコネクターは、軸方向の細長い中空導管の第１の端部に配置され、かつ、該装置は、シリンジコネクターと第２の端部との間の軸方向の細長い中空導管内に配置されたプッシャー要素を含んでおり、軸方向の細長い中空導管およびプッシャー要素のうちの少なくとも一方が、粘弾性材料がシリンジコネクターおよびプッシャー要素を通ってプッシャー要素と軸方向の細長い中空導管の第２の端部との間の位置へと進むことを可能にする相互連通導管を有して形成され、当該方法は、プッシャー要素と軸方向の細長い中空導管の第２の端部との間の位置へと相互連通導管を通して粘弾性材料を注入することを含んでおり、かつ、当該方法は、その後で、軸方向の細長い中空導管の第２の端部を通して、プッシャー要素と軸方向の細長い中空導管の第２の端部との間の位置において粘弾性材料の中に眼内レンズを挿入することを含んでいる。
【００１２】
本発明の好ましい実施形態によれば、注入は、第１の端部におけるシリンジコネクターを通して起こる。
【００１３】
好ましくは、軸方向の細長い中空導管は、粘弾性材料の注入前および注入の最中に埋め込みアセンブリー（ｉｍｐｌａｎｔａｔｉｏｎ  ａｓｓｅｍｂｌｙ）の上に取り付けられる。追加的には、軸方向の細長い中空導管は、粘弾性材料の中への眼内レンズの挿入前および挿入の最中に埋め込みアセンブリーの上に取り付けられる。
【００１４】
本発明の好ましい実施形態によれば、第１の作動ステージ（ｏｐｅｒａｔｉｖｅ  ｓｔａｇｅ）において、埋め込みアセンブリーの一部を形成する方位角的に正確な取付要素（ａｚｉｍｕｔｈａｌｌｙ  ｐｒｅｃｉｓｅ  ｍｏｕｎｔｉｎｇ  ｅｌｅｍｅｎｔ）に形成された凹部には、注入されるべき眼内レンズのハプティクス（ｈａｐｔｉｃｓ）が配置され、かつ、方位角的に正確な取付要素に形成された内腔には、眼内レンズの後方部が据え付けられる。
【００１５】
好ましくは、軸方向の細長い中空導管は、シリンジコネクターを定める第１の相対的に剛性であるハウジング部と、該相対的に剛性であるハウジング部の上に取り付けられ、かつ、軸方向の細長い中空導管の第２の端部を定める角度のついた縁部を有して形成された相対的に可撓性であるスリーブ部を含んでおり、かつ、第１の作動ステージにおいては、角度のついた縁部は、眼内レンズに隣接して位置する。追加的には、第２の作動ステージにおいて、粘弾性材料が可撓性スリーブ部の内側へと移される。
【００１６】
本発明の好ましい実施形態によれば、第３の作動ステージにおいて、眼内レンズは、可撓性スリーブの中へと軸方向に変位し、ハプティクスは、長手方向軸に対するその正確な所定の方位角的位置を維持しながら、後方に折り返された配向で位置決めされる。
【００１７】
本発明の好ましい実施形態によれば、第４の作動ステージにおいて、軸方向の細長い中空導管は、埋め込みアセンブリーから脱係合し、かつ、埋め込みシリンジに接続される。
【図面の簡単な説明】
【００１８】
本発明は、図面とともに考慮される以下の詳細な説明からいっそう完全に理解および把握されるであろう：
【００１９】
【図１】図１は、本発明の好ましい実施形態によって構成され、かつ作動する眼内レンズの埋め込みに使用するための装置の簡略図である。
【図２】図２は、図１の装置の一部を形成する埋め込みアセンブリーの簡略化された分解図である。
【図３】図３Ａおよび図３Ｂはそれぞれ、図２の埋め込みアセンブリーの一部を形成する、手動で係合可能な軸方向ディスプレーサー（ａｘｉａｌ  ｄｉｓｐｌａｃｅｒ）の簡略化された見取（ｐｉｃｔｏｒｉａｌ；絵画的な）図および断面図であり、図３Ｂは、図３Ａにおける線３Ｂ−３Ｂに沿ってとられている。
【図４】図４Ａおよび図４Ｂはそれぞれ、図２の埋め込みアセンブリーの一部を形成する、内部円筒要素の簡略化された見取図および断面図であり、図４Ｂは、図４Ａにおける線４Ｂ−４Ｂに沿ってとられている。
【図５】図５Ａ、図５Ｂ、図５Ｃおよび図５Ｄはそれぞれ、図２の埋め込みアセンブリーの一部を形成する、軸方向ディスプレーサー案内要素の簡略化された後方を向いた（ｒｅａｒｗａｒｄ−ｆａｃｉｎｇ）見取図、前方を向いた（ｆｏｒｗａｒｄ−ｆａｃｉｎｇ）見取図、後方を向いた平面図および断面図であり、図５Ｄは、図５Ａにおける線５Ｄ−５Ｄに沿ってとられている。
【図６】図６Ａ、図６Ｂ、図６Ｃおよび図６Ｄはそれぞれ、図２の埋め込みアセンブリーの一部を形成する、眼内レンズおよびそのための方位角的に正確な取付部の簡略化された後方を向いた分解見取図、後方を向いた組立見取図、後方を向いた平面図および部分断面図であり、図６Ｄは、図６Ａにおける線６Ｄ−６Ｄに沿ってとられている。
【図７】図７Ａ、図７Ｂおよび図７Ｃはそれぞれ、図２の埋め込みアセンブリーの一部を形成する、ＩＯＬ埋め込み挿入アセンブリーハウジング要素の簡略化された後方を向いた見取図、前方を向いた見取図および断面図であり、図７Ｃは、図７Ａにおける線７Ｃ−７Ｃに沿ってとられている。
【図８】図８Ａおよび図８Ｂはそれぞれ、図２の埋め込みアセンブリーの一部を形成する、主たるハウジング要素の簡略化された見取図および断面図であり、図８Ｂは、図８Ａにおける線８Ｂ−８Ｂに沿ってとられている。
【図９Ａ−Ｂ】図９Ａ、図９Ｂおよび図９Ｃはそれぞれ、図１の装置の一部を形成する、ＩＯＬ埋め込み挿入アセンブリーの簡略化された見取図、平面断面図および分解図であり、図９Ｂは、図９Ａにおける線９Ｂ−９Ｂに沿ってとられている。
【図９Ｃ】図９Ａ、図９Ｂおよび図９Ｃはそれぞれ、図１の装置の一部を形成する、ＩＯＬ埋め込み挿入アセンブリーの簡略化された見取図、平面断面図および分解図であり、図９Ｂは、図９Ａにおける線９Ｂ−９Ｂに沿ってとられている。
【図１０】図１０Ａおよび図１０Ｂはそれぞれ、図９Ａ〜図９ＣのＩＯＬ埋め込み挿入アセンブリーの一部の簡略化された見取図および断面図であり、図１０Ｂは、図１０Ａにおける線１０Ｂ−１０Ｂに沿ってとられている。
【図１１】図１１は、図９Ａ〜図９ＣのＩＯＬ埋め込み挿入アセンブリーの別の一部の簡略化された見取図および断面図である。
【図１２】図１２は、図９Ａ〜図９ＣのＩＯＬ埋め込み挿入アセンブリーのさらなる一部の簡略化された平面側面図である。
【図１３Ａ】図１３Ａおよび図１３Ｂはそれぞれ、図１の装置の一部を形成する、埋め込みシリンジの簡略化された組立見取図および分解見取図である。
【図１３Ｂ】図１３Ａおよび図１３Ｂはそれぞれ、図１の装置の一部を形成する、埋め込みシリンジの簡略化された組立見取図および分解見取図である。
【図１４Ａ−Ｂ】図１４Ａ、図１４Ｂ、図１４Ｃおよび図１４Ｄはそれぞれ、第１の作動配向（ｏｐｅｒａｔｉｖｅ  ｏｒｉｅｎｔａｔｉｏｎ）における図２の埋め込みアセンブリーの簡略化された前方を向いた見取図、後方を向いた見取図、断面見取図および平面断面図であり、図１４Ｃおよび図１４Ｄは、図１４Ｂにおける線１４Ｃ−１４Ｃに沿ってとられている。
【図１４Ｃ−Ｄ】図１４Ａ、図１４Ｂ、図１４Ｃおよび図１４Ｄはそれぞれ、第１の作動配向における図２の埋め込みアセンブリーの簡略化された前方を向いた見取図、後方を向いた見取図、断面見取図および平面断面図であり、図１４Ｃおよび図１４Ｄは、図１４Ｂにおける線１４Ｃ−１４Ｃに沿ってとられている。
【図１５】図１５Ａおよび図１５Ｂはそれぞれ、粘弾性材料注入の完了の際の第２の作動配向における図２の埋め込みアセンブリーの簡略化された見取図および平面断面図であり、図１５Ｂは、図１５Ａにおける線１５Ｂ−１５Ｂに沿ってとられている。
【図１６】図１６Ａおよび図１６Ｂはそれぞれ、図２の埋め込みアセンブリーの、粘弾性材料注入の完了およびそれからの粘弾性材料シリンジの脱係合後の、図１５Ａおよび図１５Ｂに示されている第２の作動配向における簡略化された断面見取図および平面断面図であり、図１６Ａおよび図１６Ｂは、図１５Ａにおける線１５Ｂ−１５Ｂに部分的に沿ってとられている。
【図１７】図１７Ａおよび図１７Ｂはそれぞれ、図２の埋め込みアセンブリーの、それへの埋め込みシリンジの係合後の、図１５Ａ〜図１６Ｂに示されている第２の作動配向における簡略化された断面見取図および平面断面図であり、図１７Ａおよび図１７Ｂは、図１５Ａにおける線１５Ｂ−１５Ｂに部分的に沿ってとられている。
【図１８】図１８Ａおよび図１８Ｂはそれぞれ、第３の作動配向における図２の埋め込みアセンブリーの簡略化された断面見取図および平面断面図であり、図１８Ａおよび図１８Ｂは、図１５Ａ〜図１７Ｂのものと同一の平面に沿ってとられている。
【図１９】図１９Ａおよび図１９Ｂはそれぞれ、図２の埋め込みアセンブリーの、それからの安全装置（ｓａｆｅｔｙ  ｃａｔｃｈ）除去後の第４の作動配向における簡略化された断面見取図および平面断面図であり、図１９Ｂは、図１９Ａにおける線１９Ｂ−１９Ｂに部分的に沿ってとられている。
【図２０】図２０は、眼内レンズの埋め込みの準備ができた、第５の作動配向におけるＩＯＬ埋め込み挿入アセンブリーの一部の簡略化された見取図および部分的に拡大された断面見取図である。
【発明を実施するための形態】
【００２０】
好ましい実施形態の詳細な説明
ここで図１を参照すると、該図は、本発明の好ましい実施形態によって構成され、かつ作動する、眼内レンズの埋め込みに使用するための装置１００の簡略図である。
【００２１】
図１に見られるように、眼内レンズの埋め込みに使用するための装置１００は、好ましくは、ＩＯＬ埋め込み挿入アセンブリー１２０を部分的に包囲する埋め込みアセンブリー１１０と、粘弾性材料で充填されたシリンジ１３０と、埋め込みシリンジ１４０とを含んでいる。埋め込みアセンブリー１１０は、図２〜図８Ｂを参照して以下で詳細に記載される。ＩＯＬ埋め込み挿入アセンブリー１２０は、図９Ａ〜図１２を参照して以下で詳細に記載される。市販の粘弾性材料で充填されたシリンジ１３０の例が、Ｊｏｈｎｓｏｎ  ＆  Ｊｏｈｎｓｏｎ社から市販されているＨＥＡＬＯＮ（登録商標）  ５である。
【００２２】
ここで図２を参照すると、該図は、図１の装置の一部を形成する埋め込みアセンブリー１１０の簡略化された分解図である。図２に見られるように、埋め込みアセンブリー１１０は、概して、長手方向軸１４８に沿って配置され、かつ、好ましくは、手動で係合可能な軸方向ディスプレーサー１５０を有し、該手動で係合可能な軸方向ディスプレーサー１５０の先端部は、好ましくはシリコーンで形成された変位要素１５１によって包囲される。手動で係合可能な軸方向ディスプレーサー１５０は、内部円筒要素１５２にしっかりと係合する。 
【００２３】
内部円筒要素１５２は、次に、主たるハウジング要素１５４内に配置され、該主たるハウジング要素１５４は、それと取り外し可能に関連付けられた安全装置１５５を有する。また、主たるハウジング要素１５４内には、コイルバネ１５６と軸方向ディスプレーサー案内要素１５８とが配置される。主たるハウジング要素１５４の後端にはカラー部材１５９が据え付けられ、該カラー部材１５９は、後方を向いた表面１６０を有する。軸方向ディスプレーサー案内要素１５８の前方には、眼内レンズ１６１と、好ましくはシリコーンで形成されたそのための方位角的に正確な取付要素１６２とが配置される。
【００２４】
眼内レンズ１６１は、好ましくは、最初は方位角的に正確な取付要素１６２の上に取り付けられ、かつ、ＩＯＬ埋め込み挿入アセンブリーハウジング要素１６４内に配置され、該ＩＯＬ埋め込み挿入アセンブリーハウジング要素１６４は、ＩＯＬ埋め込み挿入アセンブリー１２０を軸方向に取り外し可能に取り囲む。ＩＯＬ埋め込み挿入アセンブリー１２０は、最初は、かつ、取り外し可能にＩＯＬ埋め込み挿入アセンブリーハウジング要素１６４の上に取り付けられる。図９Ａ〜図１２を参照して詳細に以下で記載されるように、ＩＯＬ埋め込み挿入アセンブリー１２０は、ハウジング要素１７０と、Ｏリング１７４によってハウジング要素１７０内にスライド可能かつ密封可能に配置された中空プッシャーロッド１７２の形態の二重目的の細長い中空チューブと、プッシャーロッド１７２の後端に固定されたプッシャー要素１７６と、ハウジング要素１７０の後方部に被せられた前方部を有する可撓性スリーブ１７８とを含んでいる。
【００２５】
ハウジング要素１７０と可撓性スリーブ１７８とは、長手方向軸１４８に沿って延びる眼内レンズ注入通路を定める、軸方向の細長い中空導管を定める。
【００２６】
ここで図３Ａおよび図３Ｂを参照すると、該図はそれぞれ、図２の埋め込みアセンブリー１１０の一部を形成する、手動で係合可能な軸方向ディスプレーサー１５０の簡略化された見取図および断面図であり、図３Ｂは、図３Ａにおける線３Ｂ−３Ｂに沿ってとられている。図３Ａおよび図３Ｂに見られるように、手動で係合可能な軸方向ディスプレーサー１５０は、好ましくは、軸対称単一要素（ａｘｉａｌｌｙ  ｓｙｍｍｅｔｒｉｃ  ｕｎｉｔａｒｙ  ｅｌｅｍｅｎｔ）であり、かつ、前方の概して円筒形のピン部２０２を有し、該前方の概して円筒形のピン部２０２は、前方中間円筒部２０６が後に続く先細り部２０４において後方に終端し、該前方中間円筒部２０６は、前方の概して円筒形のピン部２０２のものより大きい半径を有する。前方中間円筒部２０６は、後方中間円筒部２１０が後に続く先細り部２０８において後方に終端し、該後方中間円筒部２１０は、前方中間円筒部２０６のものより大きい半径を有する。後方中間円筒部２１０は、後方ノブ部２１４の前方を向いた環状表面（ａｎｎｕｌａｒ  ｓｕｒｆａｃｅ）２１２において終端する。
【００２７】
ここで図４Ａおよび図４Ｂを参照すると、該図はそれぞれ、図２の埋め込みアセンブリーの一部を形成する、内部円筒要素１５２の簡略化された見取図および断面図であり、図４Ｂは、図４Ａにおける線４Ｂ−４Ｂに沿ってとられている。
【００２８】
図４Ａおよび図４Ｂに見られるように、内部円筒要素１５２は、好ましくは、軸対称単一要素であり、かつ、後方の概して円筒形の表面部２２２を有し、該後方の概して円筒形の表面部２２２は、後方を向いた環状表面２２４において前方に終端する。後方を向いた環状表面２２４は、後方中間の概して円筒形の表面部２２６へと半径方向外側に延び、該後方中間の概して円筒形の表面部２２６は、後方の概して円筒形の表面部２２２のものより大きい半径を有する。後方中間の概して円筒形の表面部２２６は、前方を向いた環状表面２２８へと前方に延び、該前方を向いた環状表面２２８は、前方中間の概して円筒形の表面部２３０へと半径方向内側に延び、該前方中間の概して円筒形の表面部２３０は、後方の概して円筒形の表面部２２２のものと概して同一の半径を有する。前方中間の概して円筒形の表面部２３０は、前方および内側に先細りした表面部２３２へと前方に延び、該前方および内側に先細りした表面部２３２は、前方の概して円筒形の表面部２３４において前方に終端し、該前方の概して円筒形の表面部２３４は、前方環状表面２３６において終端する。
【００２９】
前方の概して円筒形の表面部２３４は、好ましくは、４つの、等しく方位角的に分布した軸方向スロット２４０を有して形成され、該４つの、等しく方位角的に分布した軸方向スロット２４０は、前方の概して円筒形の表面部２３４を通って延びる。
【００３０】
内部円筒要素１５２は、好ましくは、均一な半径の内腔２４２を有して形成され、該均一な半径の内腔２４２は、後方の概して円筒形の表面部２２２の開口後方縁部２４４から、前方の概して円筒形の表面部２３４の前方端部に隣接した後方を向いた環状表面２４６へと延びる。後方を向いた環状表面２４６は、前方および外側に先細りした円形表面２４８へと内側に延び、該前方および外側に先細りした円形表面２４８は、前方環状表面２３６において終端する。
【００３１】
ここで図５Ａ、図５Ｂ、図５Ｃおよび図５Ｄを参照すると、該図はそれぞれ、図２の埋め込みアセンブリーの一部を形成する、軸方向ディスプレーサー案内要素１５８の簡略化された後方を向いた見取図、前方を向いた見取図、後方を向いた平面図および断面図であり、図５Ｄは、図５Ａにおける線５Ｄ−５Ｄに沿ってとられている。
【００３２】
図５Ａ〜図５Ｄに見られるように、軸方向ディスプレーサー案内要素１５８は、好ましくは、均一な軸方向内腔２５０を有する軸対称単一要素であり、かつ、後方を向いた環状表面２６０を有し、該後方を向いた環状表面２６０は、後方の概して前方および外側に先細りした周表面２６２へと外側に延びる。後方の概して前方および外側に先細りした周表面２６２は、前方を向いた環状表面２６４において前方に終端し、該前方を向いた環状表面２６４は、半径方向内側に延び、かつ、後方円筒表面２６６において終端する。後方円筒表面２６６は、後方を向いた環状表面２６８において終端し、該後方を向いた環状表面２６８は、半径方向外側に延び、かつ、後方中間円筒表面２７０において終端する。
【００３３】
後方中間円筒表面２７０は、後方を向いた環状表面２７２において終端し、該後方を向いた環状表面２７２は、半径方向外側に延び、かつ、中間円筒表面２７４において終端する。中間円筒表面２７４は、周方向に段のある前方を向いた環状表面２７６において終端し、該周方向に段のある前方を向いた環状表面２７６は、半径方向内側に延び、かつ、前方および内側に先細りした表面２７８において終端する。先細りした表面２７８は、半径方向内側に延び、かつ、前方円筒表面２８０において終端する。前方円筒表面２８０は、前方を向いた環状表面２８２において終端する。
【００３４】
中間円筒表面２７４は、好ましくは、３つの均一に方位角的に離間した凹部２８４を有して形成される。各凹部２８４は、第１の深さの後方部２８６と、第１の深さより小さい第２の深さの中間部２８８と、第１の深さより大きい第３の深さの前方部２９０とを含む、湾曲した外表面を有する。
【００３５】
ここで図６Ａ、図６Ｂ、図６Ｃおよび図６Ｄを参照すると、該図はそれぞれ、図２の埋め込みアセンブリーの一部を形成する、眼内レンズ１６１と方位角的に正確な取付要素１６２との簡略化された後方を向いた分解見取図、後方を向いた組立見取図、後方を向いた平面図および部分断面図であり、図６Ｄは、図６Ａにおける線６Ｄ−６Ｄに沿ってとられている。
【００３６】
図６Ａに見られるように、眼内レンズ１６１は、任意の適切な眼内レンズであってもよく、かつ、好ましくは、Ｖｉｓｉｏｎｃａｒｅ  Ｏｐｈｔｈａｌｍｉｃ  Ｔｅｃｈｎｏｌｏｇｉｅｓ，  Ｉｎｃ．社から市販されているＰＲ０００３５−００  ＩＯＬである。
【００３７】
図６Ａ〜図６Ｄに見られるように、方位角的に正確な取付要素１６２は、好ましくは、軸対称単一要素であり、かつ、後方を向いた環状表面３００を有し、該環状表面３００は、後方を向いた中央凹部３０２を取り囲み、かつ、３つの均一に方位角的に離間した切欠き部３０４を有して形成される。中央凹部３０２は、後方を向いた環状表面３０６を有して形成され、該後方を向いた環状表面３０６は、軸方向内腔３０８を取り囲む。 
【００３８】
方位角的に正確な取付要素１６２は、半径方向外側を向いた円筒表面３１０を有して形成され、該半径方向外側を向いた円筒表面３１０は、前方を向いた環状表面３１２において終端し、該前方を向いた環状表面３１２は、後方および内側に先細りした表面３１４へと内側に延びる。３つの均一に方位角的に離間した凹部３１６は、表面３１０、表面３１２および表面３１４において形成され、各凹部３１６は、一対の相互に平行な側面３１８および後方および外側に先細りした平面状表面３２０によって定められ、該後方および外側に先細りした平面状表面３２０は、円筒表面３１０へと後方に延びる。先細りした平面状表面３２０はそれぞれ、半径方向外側および共通の前方を向いた表面３２２から後方に延びる。
【００３９】
内腔３０８より幅の狭い中心軸方向内腔３２４が、前方を向いた表面３２２から後方を向いた表面３２６へと後方に延び、該後方を向いた表面３２６は表面３２２に対して平行であり、軸方向内腔３０８の前方終端ならびに内腔３０８および内腔３２４の接合点を定める。
【００４０】
図６Ａおよび図６Ｂに見られるように、ＩＯＬ１６１は、好ましくは、方位角的に正確な取付要素１６２内に据え付けられ、ＩＯＬ１６１の後方部３２８は内腔３２４にしっかりと据え付けられ、かつ、そのハプティクス３３０は、各凹部３１６に配置されるが、据え付けられない。
【００４１】
ここで図７Ａ、図７Ｂおよび図７Ｃを参照すると、該図はそれぞれ、図２の埋め込みアセンブリーの一部を形成する、ＩＯＬ埋め込み挿入アセンブリーハウジング要素１６４の簡略化された後方を向いた見取図、前方を向いた見取図および断面図であり、図７Ｃは、図７Ａにおける線７Ｃ−７Ｃに沿ってとられている。
【００４２】
図７Ａ〜図７Ｃに見られるように、ＩＯＬ埋め込み挿入アセンブリーハウジング要素１６４は、好ましくは、軸方向に左右対称な単一要素（ａｘｉａｌｌｙ  ｓｉｄｅ−ｔｏ−ｓｉｄｅ  ｓｙｍｍｅｔｒｉｃ  ｕｎｉｔａｒｙ  ｅｌｅｍｅｎｔ）であり、かつ、後方を向いた環状表面３５０を有し、該後方を向いた環状表面３５０は、中空後方円筒部３５２へと半径方向外側に延び、該中空後方円筒部３５２は、その中に３つの均一に方位角的に分布した軸方向スリット３５４を形成している。円筒部３５２は、前方を向いた環状表面３５５において前方に終端し、該前方を向いた環状表面３５５は、前方および内側に先細った表面３５６へと半径方向内側に延び、該前方および内側に先細った表面３５６は、次に、中間円筒部３５８において前方に終端し、該中間円筒部３５８は、半径方向外側に方向付けられた円筒表面３６０を定め、該半径方向外側に方向付けられた円筒表面３６０は、一対の軸方向スロット３６１を有して形成される。
【００４３】
円筒表面３６０は、後方に方向付けられた環状表面３６２において前方に終端し、該後方に方向付けられた環状表面３６２は、前方円筒部３６４の外側に方向付けられた円筒表面３６３へと半径方向外側に延び、該前方円筒部３６４は、前方を向いた平面状表面３６６を有する。前方を向いた平面状表面３６６は、鍵穴タイプの開口部３７０を有して形成され、該鍵穴タイプの開口部３７０は、概して円形の中心部３７２と一対の概して長方形の側部３７４とを含んでいる。
【００４４】
概して円形の中心部３７２において前方を向いた平面状表面３６６から後方に延びているのが軸方向内腔３８０であり、該軸方向内腔３８０は、中間円筒部３５８の内側の先細りした肩部３８４へと延びる第１の部分３８２と、第１の部分３８２よりわずかに幅が狭く、肩部３８４から、中空後方円筒部３５２内に配置された円筒部３８７（その後端には、滑らかに丸みを帯びた縁部３８８が形成される）へと後方に延びる第２の部分３８６とを含んでいる。縁部３８８の前方には、角度のついた内側肩部３８９が存在する。
【００４５】
概して長方形の側部３７４において前方を向いた平面状表面３６６から後方に延びているのが、一対の概して平面状である四角形の凹部３９０であり、該一対の概して平面状である四角形の凹部３９０はそれぞれ、貫通内腔３９２によって横切られる。
【００４６】
ここで図８Ａおよび図８Ｂを参照すると、該図はそれぞれ、図２の埋め込みアセンブリーの一部を形成する、主たるハウジング要素１５４の簡略化された見取図および断面図であり、図８Ｂは、図８Ａにおける線８Ｂ−８Ｂに沿ってとられている。図８Ａおよび図８Ｂに見られるように、主たるハウジング要素１５４は、好ましくは、軸方向に左右対称である単一要素であり、かつ、後方を向いた環状表面４００を有し、該後方を向いた環状表面４００は、円筒表面４０２へと半径方向外側に延び、該円筒表面４０２は、その中に一対の切欠き部４０４を形成している。円筒表面４０２は、前方および内側に先細りした表面４０６において前方に終端し、該前方および内側に先細りした表面４０６は、環状の前方を向いた表面４０８へと延びる。先細りした表面４０６の後方には、部分的に周方向のスロット４１０が配置される。主たるハウジング要素１５４は、軸方向内腔４１２を有して形成され、該軸方向内腔４１２は、内側の半径方向内側に延びる輪４１４によって遮られ、該内側の半径方向内側に延びる輪４１４は、前方を向いた環状表面４１６と後方を向いた環状表面４１８とを定める。 
【００４７】
ここで図９Ａ〜図９Ｃを参照すると、該図はそれぞれ、図１の装置の一部を形成するＩＯＬ埋め込み挿入アセンブリー１２０の簡略化された見取図、平面断面図および分解図であり、図１０Ａおよび図１０Ｂを参照すると、該図はそれぞれ、図９Ａ〜図９ＣのＩＯＬ埋め込み挿入アセンブリー１２０の一部の簡略化された見取図および断面図であり、図１１を参照すると、該図は、図９Ａ〜図９ＣのＩＯＬ埋め込み挿入アセンブリー１２０の別の一部の簡略化された見取図および断面図であり、図１２を参照すると、該図は、図９Ａ〜図９ＣのＩＯＬ埋め込み挿入アセンブリー１２０のさらなる一部の簡略化された平面側面図である。 
【００４８】
図２の説明において上記で注目されたように、ＩＯＬ埋め込み挿入アセンブリー１２０は、相対的に剛性であるハウジング要素１７０と、Ｏリング１７４によってハウジング要素１７０内にスライド可能かつ密封可能に配置された中空プッシャーロッド１７２と、プッシャーロッド１７２の後端に固定されたプッシャー要素１７６と、ハウジング要素１７０の好ましくはリブ付きの後方部に被せられた前方部を有する相対的に可撓性であるスリーブ１７８とを含んでいる。
【００４９】
図９Ａ〜図１２に見られるように、ハウジング要素１７０は、好ましくは、軸方向に左右対称である単一要素であり、かつ、後方を向いた環状表面５００を有し、該後方を向いた環状表面５００は、円筒表面５０２へと半径方向外側に延び、該円筒表面５０２は、リブ付きの後方部５０４と、概して滑らかな前方部５０６とを含んでいる。概して滑らかな前方部５０６から外側に延びているのが一対の概して平坦な翼部５０８であり、１つの表面５１０は、好ましくは、「ＵＰ」のようなユーザーが見ることのできる指示を有する。前方部５０６は、シリンジ１３０およびシリンジ１４０（図１）のような、従来のルアーコネクターを有するシリンジとの係合に適した、従来のシリンジコネクター（好ましくは、ルアーロックコネクター５１２）におけるその前端において終端する。翼部５０８は、埋め込み機（ｉｍｐｌａｎｔｅｒ）が埋め込みの最中にＩＯＬ１６１のハプティクス３３０を容易に正確に固定させることを可能にするために重要である。
【００５０】
ハウジング要素１７０は、その前端において、わずかに先細りした内腔５２０を有して形成され、該わずかに先細りした内腔５２０は、円筒内腔５２４に向かって先細りした位置５２２において後方に幅が狭くなり、該円筒内腔５２４は、相対的に幅の狭い円筒内腔５２５において終端する。
【００５１】
中空プッシャーロッド１７２は、先細りした開口部５２６の形態の流体入口端部を有して形成され、該流体入口端部は、貫通円筒内腔５２８と連通する。中空プッシャーロッド１７２は、最初は、円筒内腔５２４に完全に据え付けられ、かつ、Ｏリング１７４によってそれに対して据え付けられる。中空プッシャーロッド１７２は、円筒内腔５２５を通ってスライドするように延び、かつ、プッシャー要素１７６に固定され、該プッシャー要素１７６は、次に、円筒内腔５３０を有して形成され、該円筒内腔５３０は、中空プッシャーロッド１７２の内腔５２８と連通する。
【００５２】
リブ付きの後方部５０４に可撓性スリーブ１７８の前端がしっかりと被せられ、かつ、可撓性スリーブ１７８は、後方を向いた環状表面５００を越えて後方に延び、かつ、先細りの後方を向いた縁部５５０において終端する。翼部５０８および角度のついた縁部５５０の相互配向は図９Ｂに示されているようなものであり、ＩＯＬ埋め込み挿入アセンブリー１２０がＩＯＬ埋め込み挿入アセンブリーハウジング要素１６４に対してその必要とされる方位角的配向において完全に据え付けられる時、角度のついた縁部５５０の角度配向がＩＯＬ埋め込み挿入アセンブリーハウジング要素１６４の先細りした肩部３８９の角度配向に一致するようになっていることが把握される。
【００５３】
中空プッシャーロッド１７２は、ハウジング要素１７０に対して長手方向軸１４８（図２）に沿って変位可能であり、かつ、後方に変位する時、先細りの後方を向いた縁部５５０に向けてプッシャー要素１７６を後方に変位させるように作動することが把握される。
【００５４】
ここで図１３Ａおよび図１３Ｂを参照すると、該図は、埋め込みシリンジ１４０を示している。任意の適切な埋め込みシリンジが代替的に採用されてもよいことが把握される。図１３Ａおよび図１３Ｂに見られるように、埋め込みシリンジ１４０は、好ましくは、円筒胴部５６０を含んでおり、該円筒胴部５６０は、幅の狭い前方開口部５６２と、後方フランジ５６４とを有する。後方フランジ５６４の上には、保持部５６６が回転可能に取り付けられて、埋め込みの最中のＩＯＬ埋め込み挿入アセンブリー１２０の必要とされる適切な配向を補助する。
【００５５】
胴部５６０の後方は、取り外し可能な停止要素５６８であり、該取り外し可能な停止要素５６８は、手動で軸方向に変位可能なプッシャー要素５７０の意図しない軸方向の変位を防止し、該手動で軸方向に変位可能なプッシャー要素５７０の前方にはプッシャーロッド５７２が取り付けられ、該プッシャーロッド５７２は、幅の狭い前方開口部５６２を通って選択的に軸方向に変位するように構成されている。ノッチ付きの位置決めリングキャッチ５７４が、プッシャー要素５７０およびハウジング部５６８Ａに密封せずに係合して、胴部５６０を通るその軸方向の変位の最中にプッシャー要素５７０を案内する。
【００５６】
ここで図１４Ａ〜図１４Ｄを参照すると、該図は、典型的には「箱から出したばかりの（ｏｕｔ  ｏｆ  ｔｈｅ  ｂｏｘ）」作動配向である第１の作動配向における図２の埋め込みアセンブリーを示している。ＩＯＬ１６１の後方部３２８は、方位角的に正確な取付要素１６２の内腔３２４（図６Ａ〜図６Ｄ）に据え付けられることが見られる。ＩＯＬ１６１のハプティクス３３０は、図６Ｂに示されているように、方位角的に正確な取付要素１６２の凹部３１６（図６Ａ〜図６Ｄ）に配置されるが、据え付けられないこともまた見られる。この配向では、可撓性スリーブ１７８の先細りの後方を向いた縁部５５０は、ＩＯＬ埋め込み挿入アセンブリーハウジング要素１６４の肩部３８９に隣接し、かつ、ＩＯＬ１６１に隣接して位置する。この作動配向では、手動で係合可能な軸方向ディスプレーサー１５０は、コイルバネ１５６の促しの下で引き込まれた配向で維持され、手動で係合可能な軸方向ディスプレーサー１５０の前方を向いた環状表面２１２が、カラー部材１５９の後方を向いた表面１６０から後方に離間するようになっている。可撓性スリーブ１７８は、中空プッシャーロッド１７２と流体連通する。滑らかに丸みを帯びた縁部３８８は、好ましくは、ＩＯＬ１６１のハプティクス３３０との接触した係合状態にはない。
【００５７】
ここで図１５Ａおよび図１５Ｂを参照すると、該図はそれぞれ、粘弾性材料で充填されたシリンジ１３０の取付およびスリーブ１７８の中への粘弾性材料の注入に続く第２の作動配向における図２の埋め込みアセンブリーの簡略化された見取図および平面断面図である。
【００５８】
図１５Ａおよび図１５Ｂに見られるように、粘弾性材料で充填されたシリンジ１３０は、ハウジング要素１７０の前方部５０６のルアーロックコネクター５１２に接続される。その中に含有された粘弾性材料９００は、中空プッシャーロッド１７２を通して、可撓性スリーブ１７８の内側へと、かつ、方位角的に正確な取付要素１６２の前方の中空後方円筒部３５２の部分の中へと移され、そのことによってＩＯＬ１６１を取り囲む。滑らかに丸みを帯びた縁部３８８は、好ましくは、未だにＩＯＬ１６１のハプティクス３３０との接触した係合状態にはない。
【００５９】
ここで図１６Ａおよび図１６Ｂを参照すると、該図はそれぞれ、図２の埋め込みアセンブリーの、粘弾性材料９００の注入の完了およびそれからの粘弾性材料で充填されたシリンジ１３０の脱係合後の、図１５Ａおよび図１５Ｂに示されているその第２の作動配向における簡略化された断面見取図および平面断面図である。
【００６０】
ここで図１７Ａおよび図１７Ｂを参照すると、該図はそれぞれ、図２の埋め込みアセンブリーの、それへの埋め込みシリンジ１４０の係合後の、図１６Ａおよび図１６Ｂに示されているその第２の作動配向における簡略化された断面見取図および平面断面図である。
【００６１】
ここで図１８Ａおよび図１８Ｂを参照すると、該図はそれぞれ、第３の作動配向における図２の埋め込みアセンブリーの簡略化された断面見取図および平面断面図であり、図１８Ａおよび図１８Ｂは、図１５Ｂ〜図１７Ｂのものと同一の平面に沿ってとられている。
【００６２】
図１８Ａおよび図１８Ｂに見られるように、埋め込みシリンジ１４０の取付に続いて、手動で係合可能な軸方向ディスプレーサー１５０の後方ノブ部２１４はユーザーによって押し下げられ、そのことによってコイルバネ１５６を圧縮する。手動で係合可能な軸方向ディスプレーサー１５０の前進運動は、変位要素１５１がＩＯＬ１６１の後方部３２８に係合し、かつ、方位角的に正確な取付要素１６２から可撓性スリーブ１７８の中へとＩＯＬ１６１を前方に変位させることを引き起こす。可撓性スリーブ１７８に向かうＩＯＬ１６１の前進運動は、ハプティクス３３０が滑らかに丸みを帯びた縁部３８８に係合することを引き起こし、該係合は、図１８Ｂの拡大図Ａに見られるような後方に折り返された配向へと後方にハプティクス３３０を徐々に折り返す。
【００６３】
縁部３８８を通り越えたＩＯＬ１６１の継続する前進運動は、ＩＯＬ１６１を、ＩＯＬ埋め込み挿入アセンブリーハウジング要素１６４の肩部３８９を通り越え、かつ、可撓性スリーブ１７８の縁部５５０を通り越え、プッシャー要素１７６に向けて、ＩＯＬ埋め込み挿入アセンブリー１２０内の最終的にローディングされる位置へと運ぶ。
【００６４】
図１８Ｂの拡大図Ｂに見られるように、軸方向ディスプレーサー案内要素１５８の前方を向いた環状表面２６４は、内部円筒要素１５２の後方を向いた環状表面２４６にロックしながら係合して、可撓性スリーブ１７８内のＩＯＬ１６１の正確な位置決めを保証する。
【００６５】
ここで図１９Ａおよび図１９Ｂを参照すると、該図はそれぞれ、図２の埋め込みアセンブリーの、それからの安全装置１５５の除去後の第４の作動配向における簡略化された断面見取図および平面断面図であり、図２０を参照すると、該図は、眼内レンズの埋め込みの準備ができた、第５の作動配向におけるＩＯＬ埋め込み挿入アセンブリー１２０の一部の簡略化された見取図および部分的に拡大された断面見取図である。
【００６６】
図１９Ａおよび図１９Ｂに見られるように、可撓性スリーブ１７８内のＩＯＬ１６１の位置決めに続いて、安全装置１５５はユーザーによって手動で除去されて、埋め込みシリンジ１４０を、それに取り付けられたＩＯＬ埋め込み挿入アセンブリー１２０とともに主たるハウジング要素１５４から解放する。図２０に見られるように、ＩＯＬ１６１およびハプティクス３３０は、埋め込み配向の準備のできたＩＯＬ埋め込み挿入アセンブリー１２０内に配置される。
【００６７】
本発明は、具体的に図示され、かつ、上記されたものに限定されず、むしろ、本発明の範囲は、上記された種々の特徴の組み合わせおよび部分的組み合わせの両方、ならびに、上記の説明を読んだ当業者が想起する先行技術にはないその変形および修正を含んでいることが当業者によって把握されるであろう。
【図１】
2019213846.tif 000003
【図２】
2019213846.tif 000004
【図３】
2019213846.tif 000005
【図４】
2019213846.tif 000006
【図５】
2019213846.tif 000007
【図６】
2019213846.tif 000008
【図７】
2019213846.tif 000009
【図８】
2019213846.tif 000010
【図９Ａ−Ｂ】
2019213846.tif 000011
【図９Ｃ】
2019213846.tif 000012
【図１０】
2019213846.tif 000013
【図１１】
2019213846.tif 000014
【図１２】
2019213846.tif 000015
【図１３Ａ】
2019213846.tif 000016
【図１３Ｂ】
2019213846.tif 000017
【図１４Ａ−Ｂ】
2019213846.tif 000018
【図１４Ｃ−Ｄ】
2019213846.tif 000019
【図１５】
2019213846.tif 000020
【図１６】
2019213846.tif 000021
【図１７】
2019213846.tif 000022
【図１８】
2019213846.tif 000023
【図１９】
2019213846.tif 000024
【図２０】
2019213846.tif 000025
【外国語明細書】
2019213846000001.pdf
2019213846000002.pdf
2019213846000003.pdf
2019213846000004.pdf